(57)【要約】【課題】自由度を奪うことなくブロック体を組み合わせて机や棚などを形成することができるとともに、製造のための時間やコストを低減できるようにしたブロック体およびその組み合わせシステムを提供する。【解決手段】縦方向と横方向の寸法が単位長さの整数倍となり、単位長さをなす正方形状の領域ごとの上面および下面の中心位置に凹部３を形成してなるブロック体２と、当該ブロック体２を積層した際に前記上面および下面の凹部３に嵌合する柱状部材５とを有し、前記複数のブロック体２を柱状部材５で連結させて組み合わせるようにする。また、その凹部３に嵌合して最上面６と面一状となる第二の柱状部材７を設け、その第二の柱状部材７を嵌合させることで最上面を平面状として使用する。【選択図】図１
2015211795.tif 000002
【特許請求の範囲】
【請求項１】
縦方向と横方向の寸法が単位長さの整数倍となり、当該単位長さをなす正方形状の領域ごとの上面および下面の中心位置に凹部を形成してなるブロック体と、
当該ブロック体を積層した際に前記上面および下面の凹部に嵌合する柱状部材とを有し、
前記複数のブロック体を柱状部材で連結させて組み合わせるようにしたことを特徴とする組み合わせシステム。
【請求項２】
前記ブロック体の凹部が矩形状をなすものである請求項１に記載の組み合わせシステム。
【請求項３】
前記組み合わせシステムにおいて、さらに、第二の柱状部材を備え、当該第二の柱状部材が、前記ブロック体の凹部に嵌合して当該ブロック体の上面と面一状となるようにしたものである請求項１に記載の組み合わせシステム。
【請求項４】
他のブロック体に対して柱状部材を嵌合させて組み合わせられるブロック体であって、
縦方向と横方向の寸法が単位長さの整数倍となり、当該単位長さをなす正方形状の領域ごとの上面および下面の中心位置に、前記柱状部材を嵌合させるための凹部を形成してなるブロック体。
【発明の詳細な説明】
【技術分野】
【０００１】
本発明は、木材で構成されたブロック体を組み合わせて家具を自由に構成できるようにした組み合わせシステムに関するものである。
【背景技術】
【０００２】
従来より、木材で構成されたブロック体を組み合わせて自由に家具を作れるようにしたシステムが提案されている（特許文献１や特許文献２など）。このようなシステムは、上面および下面にそれぞれ嵌合し合う凸部や凹部を有してなるブロック体を組み合わるようにしたものであって、複数のブロック体を嵌合させることで、自由な形状や大きさの机や棚などを作れるようにしたものである。このようなブロック体を用いれば、子供の成長に合わせた高さの机にしたり、あるいは、商品の展示場の雰囲気に合わせた形状や大きさの棚などを作ったりすることができるようになるというメリットがある。
【先行技術文献】
【特許文献】
【０００３】
【特許文献１】特開２００５−３４４３３７号公報
【特許文献２】特開平７−２６５１７８号公報
【発明の概要】
【発明が解決しようとする課題】
【０００４】
しかしながら、このようなブロック体を用いて家具を作る場合、次のような問題を生じる。
【０００５】
すなわち、このようなブロック体は、上面に凸部を有するように構成されているため、ブロック体を積み上げて机や棚などを作る場合、最上面に凸部が位置してしまうことになる。このため、この最上面を平面状にするためには、全体形状に応じた天板を用意して裏面に凹部を形成しなければならないが、これらのブロック体の組み合わせはユーザーの自由に任せて作られるものであるため、天板を特注しなければならず、ユーザーの自由度を奪ってしまうといった問題があった。
【０００６】
また、このようなブロック体を木材で構成する場合、凸部を形成するために、その周囲を切削しなければならず、その切削のための時間やコストがかかってしまうといった問題があった。
【０００７】
そこで、本発明は上記課題を解決するために、自由度を奪うことなくブロック体を組み合わせて机や棚などを形成することができるとともに、製造のための時間やコストを低減できるようにしたブロック体およびその組み合わせシステムを提供することを目的とする。
【課題を解決するための手段】
【０００８】
すなわち、本発明は上記課題を解決するために、縦方向と横方向の寸法が単位長さの整数倍となり、当該単位長さをなす正方形状の領域ごとの上面および下面の中心位置に凹部を形成してなるブロック体と、当該ブロック体を積層した際に前記上面および下面の凹部に嵌合する柱状部材とを有し、前記複数のブロック体を柱状部材で連結させて組み合わせるようにしたものである。
【０００９】
このように構成すれば、ブロック体を組み合わせることによって、自由な大きさや形状の家具にすることができるとともに、最上面に凸部が存在していないために、天板などを別途新たに注文して裏面に凹部を形成することなく使用することができる。そして、その最上面の凹部に花用のポットを入れたり、販売用のネクタイを入れたり、あるいは、コップなどを入れて使用することもできるようになる。
【００１０】
また、このような発明において、前記ブロック体の凹部を矩形状にする。
【００１１】
このように構成すれば、例えば、矩形状の凹部によって、組み合わせの角度を規制することができるため、容易にブロック体の角度を規制して積層していくことができるようになる。
【００１２】
さらには、このような組み合わせシステムにおいて、さらに、第二の柱状部材を備え、当該第二の柱状部材を、前記ブロック体の凹部に嵌合させて当該ブロック体の上面と面一状となるようにする。
【００１３】
このように構成すれば、第二の柱状部材を最上面のブロック体の凹部に嵌め込むことで、最上面を面一状とすることができ、別途新たに天板を設ける必要がなくなる。
【発明の効果】
【００１４】
本発明によれば、縦方向と横方向の寸法が単位長さの整数倍となり、当該単位長さをなす正方形状の領域ごとの上面および下面の中心位置に凹部を形成してなるブロック体と、当該ブロック体を積層した際に前記上面および下面の凹部に嵌合する柱状部材とを有し、前記複数のブロック体を柱状部材で連結させて組み合わせるようにしたので、自由な大きさや形状の家具とすることができるとともに、最上面に凸部が存在していないために、天板などを別途新たに注文して裏面に凹部を形成することなく使用することができる。そして、その最上面の凹部に花用のポットを入れたり、販売用のネクタイを入れたり、あるいは、コップなどを入れて使用することもできるようになる。
【図面の簡単な説明】
【００１５】
【図１】本実施の形態におけるブロック体と柱状部材を示す図
【図２】円形状の凹部と矩形状の凹部を有するブロック体を示す平面図
【図３】同形態におけるブロック体の断面形状を示す図
【図４】同形態におけるブロック体に柱状部材を嵌合させる状態を示す図
【図５】同形態におけるブロック体を組み合わせた状態を示す図
【図６】同形態における第二の柱状部材を嵌合させた状態を示す図
【発明を実施するための形態】
【００１６】
以下、本発明の一実施の形態について図面を参照して説明する。
【００１７】
この実施の形態の組み合わせシステム１は、図１に示すように、上面および下面に有底の凹部３を有するブロック体２と、このブロック体２の凹部３に嵌合する柱状部材５とを設け、ブロック体２に柱状部材５を嵌合させて積層させて行くことで自由な大きさや形状の組み合わせシステム１を作れるようにしたものである。以下、本実施の形態における組み合わせシステム１について詳細に説明する。
【００１８】
まず、このブロック体２は、地元の間伐材などの木材を使用することで地域の活性化を図れるようにしたもので、縦方向と横方向の寸法が単位長さの整数倍の関係を有するように構成されている。このようなブロック体２の基本形としては、図２に示すように、例えば、横長寸法を単位長さＬとした場合、縦長寸法を単位長さＬの１倍、２倍、３倍、４倍などに構成し、木目に沿った方向が長手方向、木目と直交する方向が短手方向としておくようにしている（図４参照）。そして、各ブロック体２の上面および下面における前記単位長さ四方（Ｌ×Ｌ）の領域の中心に凹部３を形成している。このとき、凹部３の水平断面形状としては、図２上図に示すような円形状としておいてもよいし、あるいは、図２下図に示すような矩形状（例えば、正方形状）としておいてもよい。このように断面を矩形状としておけば、各ブロック体２を後述する柱状部材５を用いて積層する際に、ブロック体２の角度を規制することができるため、ブロック体２の組み合わせを容易に行わせることができるというメリットがある。
【００１９】
ところで、この凹部３の水平断面の寸法としては、内径寸法が小さければ柱状部材５で横方向に働く力を支えることができず、一方、内径寸法が大き過ぎれば凹部３の周辺の肉厚が薄くなって肉厚部分が破損してしまう可能性がある。そこで、好ましくは、単位長さ四方（Ｌ×Ｌ）の面積に対して、３０パーセント〜７０パーセントの割合の断面積を有するように凹部３を形成しておくようにしている。
【００２０】
このような凹部３を加工する場合、ＮＣルーターによって底部４（図１や図３参照）を有するように凹部３が形成されるが、柱状部材５よりも大きな内径の凹部３を形成すると、柱状部材５を嵌合させた際に横方向にガタ付きを生じてしまう。一方、柱状部材５と外形寸法を同じにすると、横方向のガタ付きはなくなるが、木の膨張や収縮を生じた場合に柱状部材を嵌め込むことができなくなってしまう。そのため、ここでは、ガタ付きをある程度防止するとともに、木の膨張や収縮などを吸収できるように、柱状部材５の外形寸法よりも０．３ｍｍ〜０．８ｍｍ程度大きくしている。
【００２１】
一方、凹部３の深さとしては、容易に嵌合状態から外れないようにしておく必要があるため、ブロック体２の厚みの３５〜４５％の深さ寸法としている。ここでは、ブロック体２の厚み寸法を５０ｍｍとし、凹部３の奥行き寸法を約２１ｍｍ程度とし、また、円形状の凹部３の直径を５０．８ｍｍ程度としているが、これらの寸法については適宜変更することができる。
【００２２】
一方、柱状部材５は、このブロック体２の凹部３に挿入できるようにしたものであって、凹部３が円形状に構成されている場合は円柱状に構成し、凹部３が正方形状に構成されている場合は四角柱状に構成されている。この柱状部材５の寸法としては、前述の通りブロック体２のガタ付きをある程度防止できるようにするとともに、木が膨張や収縮した場合であっても凹部３に挿入できるようにするために、外径寸法を５０ｍｍとしている。また、高さ寸法については、ブロック体２を積層させた際に、ブロック体２とブロック体２の間に隙間を生じないように４０ｍｍとしておき、凹部３の上下方向に約１ｍｍ程度の隙間をそれぞれ形成できるようにしておく。この柱状部材５についても、同様に長手方向に沿った方向が木目方向となるようにして強度を持たせている（図４参照）。
【００２３】
次に、このように構成されたブロック体２と柱状部材５を組み合わせて商品棚などの組み合わせシステム１を作る場合について説明する。
【００２４】
まず、商品棚を作る場合、数種類のブロック体２を用意し、それぞれのブロック体２を平面状に並べていく。
【００２５】
そして、このように並べられたブロック体２の上面の凹部３に柱状部材５を嵌合させていく（図１の状態）。このとき、この商品棚を組み替えできないようにしておく場合は、凹部３に糊などの接着剤を注入しておき、また、将来的に自由に組み替えられるようにする場合は、接着剤を用いずに柱状部材５を嵌合させるだけにしておく。この柱状部材５を嵌合させる場合、図４に示すように、ブロック体２の木目方向と交叉する方向（好ましくは直交する方向）に凹部３に嵌合させ、縦方向および横方向の強度を持たせるようにする。また、このように木目方向を交叉させるように柱状部材５を嵌合させると、湿気や乾燥などで木目方向に木材が膨張・収縮した際、凹部３の膨張・収縮方向と柱状部材５の膨張・収縮方向が交叉するので、それぞれを強く密着させることができるというメリットがある。そして、このように柱状部材５を凹部３に嵌合させるが、すべての凹部３に柱状部材５を嵌合させるだけでなく、間欠的に柱状部材５を嵌合させるようにしてコスト低減を図るようにしてもよい。
【００２６】
そして、このような柱状部材５を差し込んだブロック体２の上から他のブロック体２を積層する。このとき、ブロック体２は、下層のブロック体２の列方向と直交する方向に並べて千鳥状に並べていき、これによって縦方向および横方向に強度を持たせるようにするとよい。
【００２７】
以下、同様にして柱状部材５とブロック体２を積層して図５に示すような商品棚を作る。このとき、その商品棚の側面からブロック体２を突出させるようにしてもよい。あるいは、凹みを有するようにブロック体２を引っ込ませるようにしてもよい。
【００２８】
このように積層された商品棚の上面は、凸部が存在しないため、この上面に商品を載せて陳列することが可能となり、また、その上面の凹部３に花を生けた花瓶や丸められたネクタイなどを入れて商品を陳列させたりすることができるようになる。
【００２９】
また、この商品棚の最上面６については、図６に示すように、凹部３に第二の柱状部材７を挿入させて使用することもできる。
【００３０】
この第二の柱状部材７は、凹部３の内径および深さ寸法と同じ寸法を有するもので、これを凹部３に嵌合させることによって、ブロック体２の上面を平面状にできるようにしたものである。このとき、第二の柱状部材７は、積層時に使用される柱状部材５を半分に切断したものを用いることもできる。
【００３１】
また、このようなボックス状の商品棚だけでなく机などを作る場合は、同様にブロック体２を積層し、これを左右および前方に並べて側板と幕板を構成する。このとき、ブロック体２の上面には凸部が存在しないため、天板とブロック体２との間に隙間が形成されることなく天板を取り付けることができる。このように取り付けられる天板としては、板状の部材を適宜の大きさに切断するだけでよく、従来のように裏面に凹部３を形成する必要がないので、その場で容易に加工することができる。また、この天板を固定しておく必要がある場合は、接着剤でブロック体２に接着させるのではなく、第二の柱状部材７を天板の裏面に固着させ、これを凹部３に嵌め込ませるようにして固定させることもできる。
【００３２】
このように上記実施の形態によれば、縦方向と横方向の寸法が単位長さの整数倍となり、当該単位長さをなす正方形状の領域ごとの上面および下面の中心位置に凹部３を形成してなるブロック体２と、当該ブロック体２を積層した際に前記上面および下面の凹部３に嵌合する柱状部材５とを有し、前記複数のブロック体２を柱状部材５で連結させて組み合わせるようにしたので、自由な大きさや形状にすることができるとともに、最上面６に凸部が存在していないために、天板などを別途新たに注文することなく使用することができる。また、最上面６の凹部３に花用のポットを入れたり、販売用のネクタイを入れたり、あるいは、コップなどを入れて使用することもできるようになる。
【００３３】
また、ブロック体２の凹部３を矩形状にするとともに、柱状部材５をこれに対応した矩形状とすれば、その矩形状の凹部３によって、組み合わせの角度を規制することができ、容易にブロック体２の角度を規制して積層していくことができるようになる。
【００３４】
さらには、凹部３の内径および深さに対応する第二の柱状部材７を備え、その第二の柱状部材７をブロック体２の凹部３に嵌合させて上面を平面状にすれば、家具の最上面６をより平らな状態で使用することができ、また、天板を用意して、第二の柱状部材７をその天板の裏面側に取り付けるようにすれば、天板を凹部３に固定して使用することもできるようになる。
【００３５】
なお、本発明は上記実施の形態に限定されることなく、種々の態様で実施することができる。
【００３６】
例えば、上記実施の形態では、ブロック体２の上面および下面に底部４を有する凹部３を形成するようにしたが、この凹部３を貫通させて使用することもできる。このとき、ブロック体２を積層する場合は、上下のブロック体２の貫通する凹部３の位置を一致させておき、その部分に上から長い柱状部材を挿入して所定数もしくは全てのブロック体２を固定できるようにする。このようにすれば、組み合わせシステム１である家具に衝撃を与えられた場合であっても、ブロック体２が外れるようなことがなくなり、家具を安定させることができるようになる。
【００３７】
また、上記実施の形態では、家具の最上面６にも凹部３を有するブロック体２を積層するようにしていたが、最上面６には、下面にのみ凹部３が存在して上面が平らなブロック体２を積層するようにしてもよい。このようなブロック体２を最上面６に設けるようにすれば、家具の最上面６を平面状にすることができるようになる。
【００３８】
さらに、上記実施の形態では、組み合わせシステム１として、商品棚や机などを例に挙げて説明したが、これに限らず、椅子、間仕切り、壁、床面などについても適用することができる。
【符号の説明】
【００３９】
１・・・組み合わせ家具
２・・・ブロック体
３・・・凹部
４・・・底部
５・・・柱状部材
６・・・最上面
７・・・天板
８・・・第二の柱状部材
【図１】
2015211795.tif 000003
【図２】
2015211795.tif 000004
【図３】
2015211795.tif 000005
【図４】
2015211795.tif 000006
【図５】
2015211795.tif 000007
【図６】
2015211795.tif 000008